【事件の表示】
　特願２０１４−３８１０９「根菜類切削切断装置」拒絶査定不服審判事件〔平成２７年９月７日出願公開、特開２０１５−１６０２９１〕について、次のとおり審決する。
【結　論】
　本件審判の請求は、成り立たない。
【理　由】
第１　手続の経緯
　本願は、平成２６年２月２８日の出願であって、その手続の経緯は以下のとおりである。
　平成３０年　１月３０日付け：拒絶理由通知書
　平成３０年　３月　７日　　：意見書、手続補正書の提出
　平成３０年　７月２５日付け：拒絶理由通知書
　平成３０年　８月２９日　　：意見書、手続補正書の提出
　平成３１年　１月１１日付け：拒絶査定
　平成３１年　３月２０日　　：審判請求書と同時に手続補正書の提出
第２　平成３１年３月２０日にされた手続補正についての補正の却下の決定
［補正の却下の決定の結論］
　平成３１年３月２０日にされた手続補正（以下、「本件補正」という。）を却下する。
　
［理由］
１　本件補正について
（１）本件補正後の特許請求の範囲の記載
　本件補正により、特許請求の範囲の請求項１の記載は、次のとおり補正された。（下線部は、補正箇所について請求人が付したものである。）
　「【請求項１】
　人参、牛蒡の根菜類のささがきを生成する根菜類切削切断装置は、
　この根菜類を切削切断する切削切断部と
　この根菜類を固定する固定部と、
　この固定部を直線運動させ、前記切削切断部
（１）
　前記切削切断部は、この根菜類の表面から切削対象部位を削り出す切削手段、及び根菜類の切削対象部位を二片、又は多片の形状に切断するための切断手段を備える根菜類切削切断装置において、
　前記切削手段
（１Ａ）−（１Ｅ）
（１ａ）−（１ｅ）
　また前記根菜類を、前記固定部に設けた昇降する軸（３３）の固定機構（３４）の固定針（３５）に、固定可能とし、
た根菜類切削切断装置であって、
　
前記切削切断部（１）は、軸（２３）に枢設されてモータ（２１）により回転される軸（２３）が挿通螺着される中心孔（１１１）を備えた円盤状の回転盤（１１）と、この回転盤（１１）の周方向に等間隔で装着された５カ所の前記切削手段（１Ａ）−（１Ｅ）、
及び５カ所の前記切断手段（１ａ）−（１ｅ）から構成されており、
　前記回転盤（１１）には、略径方向に長手方向を有する長方形状の貫通孔（１１α）−（１１ε）が周方向に等間隔で穿設されているとともに、その背面には、前記貫通孔に接して、略径方向に長手方向を有する長方形状の凸部（１１ａ）−（１１ｅ）が周方向に等間隔で突設され、かつ正面には、前記貫通孔近傍に、略径方向に長手方向を有する長方形状の凹部（１１Ａ）−（１１Ｅ）が周方向に等間隔で穿設されており、
　前記切削手段（１Ａ）は、前記凹部（１１Ａ）に、前記切削手段（１Ｂ）は前記凹部（１１Ｂ）に、前記切削手段（１Ｃ）は前記凹部（１１Ｃ）に、前記切削手段（１Ｄ）は前記凹部（１１Ｄ）に、前記切削手段（１Ｅ）は前記凹部（１１Ｅ）に、夫々装着し、
　また、前記切断手段（１ａ）は前記貫通孔（１１α）と、前記凸部（１１ａ）に、前記切断手段（１ｂ）は前記貫通孔（１１β）と前記凸部（１１ｂ）に、前記切断手段（１ｃ）は前記貫通孔（１１γ）と前記凸部（１１ｃ）に、前記切断手段（１ｄ）は前記貫通孔（１１δ）と前記凸部（１１ｄ）に、前記切断手段（１ｅ）は前記貫通孔（１１ε）と前記凸部（１１ｅ）に、夫々装着し、
（２）本件補正前の特許請求の範囲
　本件補正前の、平成３０年８月２９日にされた手続補正により補正された特許請求の範囲の請求項１の記載は次のとおりである。
　「【請求項１】
　人参、牛蒡の根菜類のささがきを生成する根菜類切削切断装置は、
　この根菜類を切削切断する切削切断部と
　この根菜類を固定する固定部と、
　この固定部を直線運動させ、前記切削切断部に送込む送り部と、を備えており、
　前記切削切断部は、この根菜類の表面から切削対象部位を削り出す切削手段、及び根菜類の切削対象部位を二片、又は多片の形状に切断するための切断手段を備える根菜類切削切断装置において、
　前記切削手段、及び前記切断手段により、前記根菜類に、角（ＲＣ）を備えた切削切断片（ＫＳ）を形成可能とし、
　また前記根菜類を、前記固定部に設けた昇降する軸（３３）の固定機構（３４）の固定針（３５）に、固定可能とし、
　前記切断手段の刃物ユニット(ＢＵ)は、複数枚の切断刃(ＢＣ)と、この切断刃(ＢＣ)を支持する多数枚のスペーサ(ＢＵ１)、(ＢＵ２)と、この切断刃(ＢＣ)、及びスペーサ(ＢＵ１)、(ＢＵ２)を固定する固定具とで構成したことを特徴とする根菜類切削切断装置。」
２　補正の適否
　本件補正は、大略、
本件補正前の請求項１に記載された発明を特定するために必要な事項である「前記切断手段の刃物ユニット(ＢＵ)は、複数枚の切断刃(ＢＣ)と、この切断刃(ＢＣ)を支持する多数枚のスペーサ(ＢＵ１)、(ＢＵ２)と、この切断刃(ＢＣ)、及びスペーサ(ＢＵ１)、(ＢＵ２)を固定する固定具とで構成した」との構成を削除し
(a)請求項の削除(第17条の2第5項第1号)
(b)特許請求の範囲の限定的減縮(第17条の2第5項第2号)
(c)誤記の訂正(第17条の2第5項第3号)
(d)明瞭でない記載の釈明(第17条の2第5項第4号)
のいずれを目的とするものとは認められない。 
　なお、請求人は、審判請求書の３．（２）において、「本件補正は、請求項の限定的減縮、明りょうでない記載の釈明、又は誤記の訂正を目的とするものです。」と述べているが、補正前の請求項１から発明特定事項を削除して拡張する補正は請求項の限定的減縮には該当しないし、上記本件補正が、明りょうでない記載の釈明、又は誤記の訂正を目的とするものとはいえない。
３　本件補正についてのむすび
　以上のとおり、本件補正は、特許法第１７条の２第５項に規定する要件に違反するものであり、同法第１５９条第１項で読み替えて準用する同法第５３条第１項の規定により却下されるべきものである。 
　よって、上記補正の却下の決定の結論のとおり決定する。 
第３　本願発明について
１　本願発明
　平成３１年３月２０日にされた手続補正は、上記のとおり却下されたので、本願の請求項１ないし５に係る発明は、平成３０年８月２９日にされた手続補正により補正された特許請求の範囲の請求項１ないし５に記載された事項により特定されるものであるところ、その請求項１に係る発明（以下「本願発明」という。）は、その請求項１に記載された事項により特定される、以下のとおりのものである。
「【請求項１】
　人参、牛蒡の根菜類のささがきを生成する根菜類切削切断装置は、
　この根菜類を切削切断する切削切断部と
　この根菜類を固定する固定部と、
　この固定部を直線運動させ、前記切削切断部に送込む送り部と、を備えており、
　前記切削切断部は、この根菜類の表面から切削対象部位を削り出す切削手段、及び根菜類の切削対象部位を二片、又は多片の形状に切断するための切断手段を備える根菜類切削切断装置において、
　前記切削手段、及び前記切断手段により、前記根菜類に、角（ＲＣ）を備えた切削切断片（ＫＳ）を形成可能とし、
　また前記根菜類を、前記固定部に設けた昇降する軸（３３）の固定機構（３４）の固定針（３５）に、固定可能とし、
　前記切断手段の刃物ユニット(ＢＵ)は、複数枚の切断刃(ＢＣ)と、この切断刃(ＢＣ)を支持する多数枚のスペーサ(ＢＵ１)、(ＢＵ２)と、この切断刃(ＢＣ)、及びスペーサ(ＢＵ１)、(ＢＵ２)を固定する固定具とで構成したことを特徴とする根菜類切削切断装置。」
２　原査定の拒絶の理由
　原査定の拒絶の理由は、本願の請求項１に係る発明は、本願の出願日前に頒布された又は電気通信回線を通じて公衆に利用可能となった下記の引用文献１−３に記載された発明及び引用文献７−８に記載された周知技術に基づいて、その出願前にその発明の属する技術の分野における通常の知識を有する者（以下、「当業者」という。）が容易に発明をすることができたものであるから、特許法第２９条第２項の規定により特許を受けることができない。
　同様に、請求項２に係る発明は引用文献１−５、７−８に基づいて、請求項３、５に係る発明は引用文献１−３、７−８に基づいて、請求項４に係る発明は引用文献１−８に基づいて、当業者が容易に発明をすることができたものであるから、特許法第２９条第２項の規定により特許を受けることができないというものである。
　　　　　　　　　　　　　　＜引用文献等一覧＞
１．特開２００３−２３６７９３号公報
２．特開昭５７−２０１１９８号公報
３．特開２０１０−４２４９４号公報
４．実願昭５９−１７７５８４号（実開昭６１−９２５９５号）のマイクロフィルム
５．実願昭５７−９６３６０号（実開昭５８−１９６０９８号）のマイクロフィルム
６．特開昭６０−９７００号公報
７．実願昭６１−１８７２３５号（実開昭６３−９１４００号）のマイクロフィルム（周知技術を示す文献）
８．実願昭５９−１６０９５０号（実開昭６１−７５９９４号）のマイクロフィルム（周知技術を示す文献）
３　引用文献、引用発明等
（１）引用文献１について
　原査定の拒絶の理由に引用された上記引用文献１には、図面とともに次の事項が記載されている。
ア　「【０００１】
【発明の属する技術分野】本発明は、ごぼう等の棒状野菜のささがき装置に関する。」
イ　「【００１４】
【発明の実施の形態】本発明の一実施の形態を図１乃至図５により説明する。図１に示すように、架台１上には箱型の支持枠２が固定されており、架台１の前面部には支持枠２の前面に当接するように支持板３が固定されている。架台１上には、円盤回転用モータ４が固定されており、円盤回転用モータ４の出力軸には、回転軸５の一端が連結部材６を介して連結されている。回転軸５は、支持枠２及び支持板３に固定された軸受７に回転自在に支承されており、回転軸５の先端部には円盤８が固定されている。
【００１５】図２に示すように、円盤８には、８個のささがき刃１０が等間隔で放射状に配設され、ささがき刃１０は、刃部１０ａが円盤８の回転方向Ｃになるように円盤８に固定されている。また円盤８には、各ささがき刃１０の刃部１０ａに対向して２つ割り刃１１が配設され、２つ割り刃１１は、刃部１１ａがささがき刃１０の刃部１０ａに直角になるように円盤８に固定されている。刃部１０ａ、１１ａに対応した円盤８の部分には、ささがきされたごぼうを円盤８の裏面側に排出するための排出孔８ａが形成されている。」
ウ　「【００２３】次に作用について説明する。円盤回転用モータ４及びごぼう回転送り用モータ５１が駆動した状態で、ごぼう６０を支持板５０のごぼう挿入穴５０ａより筒状体３１のごぼう挿入孔３１ａを通して、ごぼう６０の先端がごぼう受１５、１５に当接するまで挿入する。ごぼう６０の挿入により、３個のプーリ４１がばね４４に抗して拡げられ、ごぼう６０は３個のプーリ４１のベルト４２の部分によってばね４４の付勢力で挟持された状態となる。
【００２４】円盤回転用モータ４の駆動によって円盤８が矢印Ｃ方向に回転し、２つ割り刃１１及びささがき刃１０が回転する。これにより、２つ割り刃１１の刃部１１ａによってごぼう６０に縦溝が入れられた直後にささがき刃１０の刃部１０ａによってささがきされる。２つ割りにささがきされたごぼうは、円盤８に形成された排出孔８ａより円盤８の裏面側に排出され、図示しない製品収納箱に収納される。
【００２５】ごぼう回転送り用モータ５１の駆動によってギア５２、減速ギア５４を介して筒状体３１が回転する。筒状体３１にはギア支持板３３が固定されているので、ギア支持板３３が回転し、ギア支持板３３と共にレバー４０が回転する。また３個のプーリ４１はばね４４の付勢力でごぼう６０を挟持しているので、レバー４０の回転によってごぼう６０が回転させられる。ごぼう６０は、円盤８に対して傾斜しているので、ごぼう６０は回転させられながら下端部分の外周がささがき刃１０及び２つ割り刃１１によってささがきされる。
【００２６】またギア支持板３３に固定された支軸３４に回転自在に支承されたウオームホイル３５は、ウオームギア３０に噛合しているので、前記のようにギア支持板３３が回転すると、これにより、ベルト４２が回転してごぼう６０の先端をごぼう受１５、１５に押し付ける。即ち、ごぼう６０は回転させられながら下方に送られる。」
エ　「【００３２】なお、上記実施の形態においては、８個のささがき刃１０及び２つ割り刃１１を設けたが、この個数は特に限定されるものではない。また２つ割りする必要がない場合には２つ割り刃１１は設けなくてよいことは言うまでもない。また上記実施の形態においては、筒状体３１にギア部３１ｂを形成し、ごぼう回転用モータ５１の回転をギア５２、減速ギア５４を介して筒状体３１に伝達したが、ごぼう回転用モータ５１の回転をベルトを介して筒状体３１に伝達してもよい。またウオームホイル３５を３個設け、３個のプーリ４１でごぼう６０を挟持する場合について説明したが、ウオームホイル３５を２個又は４個設け、２個又は４個のプーリ４１でごぼう６０を挟持するようにしてもよい。」
　したがって、上記引用文献１には次の発明（以下、「引用発明」という。）が記載されていると認められる。
＜引用発明＞
「ごぼう６０のささがきを生成するささがき装置は、
　ごぼう６０を挟持して円盤８に送るレバー４０及びプーリ４１を備えており、
　前記円盤８が、このごぼう６０の外周からささがきするささがき刃１０、及びごぼう６０の外周を２つ割りにする２つ割り刃１１を備えるささがき装置において、
　前記ささがき刃１０及び前記２つ割り刃１１により、ごぼう６０が２つ割りにささがきされる、ささがき装置。」
（２）引用文献２について
　原査定の拒絶の理由に引用された上記引用文献２には、図面とともに次の事項が記載されている。
ア　「本発明はごぼう、縦割にしたにんじん等の棒状根菜の上端部を回転及び下降可能なチヤツカーで把持して回転下降を施し、その下降方向に対して斜めに回転する傾斜回転刃によつて下降周面を順次斜めに切削して、笹がきや、きんぴら等に使用する細条切削物を生ぜしめるようにした棒状根菜の切削装置に関し、」（第１ページ右下欄第４−１０行）
イ　「刃物装着円板１２の前面には第３〜６図に示すように蓋板５の内面に接近して回転する二枚の半月形の刃物１６、１６の各弦形刃先１６ａ、１６ａを回転方向に向けて駆動軸１１の両側の対称位置に皿ねじによつて取付け、それらの刃物１６、１６の後側の半径方向外側寄りで刃物装着円板１２に設けた凹形の嵌装溝１７、１７に多数の櫛刃１９、１９を回転方向の直角に並列して設けた刃物装着板１８、１８を嵌めて皿ねじにより取付け、」（第２ページ右上欄第６−１４行）
ウ　「支柱２５には上端部に第２図に示した叉状片２６、２６を設け、その各叉状片に取付けた一対の軸支片２７、２７に渡した軸２８によつて、叉状片２６、２６間で一部を回転する溝車２９を軸支し、さらに該支柱２５には上下各一対のロール３１、３１を前後両面に接して上下動する昇降ブラケツト３０を設け、そのブラケツト３０に一端を固着したロープ３２を溝車２９に掛けて他端に重錘３３を取付ける。また、昇降ブラケツト３０から前側に突出するアーム３４の先端の垂下片３５につまみ３７を設けた筐体３６を取付ける。この筐体３６内にはつまみ３７の移動によつて回転速度を可変にする減速モータ（図示せず）を内装し、その出方軸３８を下側に突出してチヤツカー３９を固着する。チヤツカー３９は第５図に示すように出方軸３８に取付けた軸４０の下端面に螺旋針４１を取付けたものであつて、」（第２ページ左下欄第９行−右下欄第１１行）
エ　「チヤツカー３９により上端部を後記のように把持された棒状根菜ａは、チヤツカー３９の直下方の挿入案内筒４５内に入り、傾斜出口４７を斜めに横切つて回転する刃物１６、１６により切削される」（第３ページ左上欄第１２行−右上欄第１行）
オ　「前記した挿入案内筒４５の第１図の左隣りには、傾斜出口５２を櫛刃１９と刃物１６の回転圏に合致させた第２挿入案内筒５０を横帯板７の挿入口５１に挿入固定して刃物ケース３の内部に突出する。この第２挿入案内筒５０は棒状根菜ａを櫛刃１９と刃物１６とにより二度切りするものであつて」（第３ページ右上欄第８−１４行）
カ　第１−２図から、チヤツカー３９は、昇降ブラケツト３０によって直線運動することが看取される。
　したがって、上記引用文献２には、「細条切削物を生ぜしめるようにした棒状根菜の切削装置が、棒状根菜ａを固定するチヤツカー３９と、このチヤツカー３９を直線運動させ、櫛刃１９と刃物１６を取り付けた刃物装着円板１２に送込む昇降ブラケツト３０を備え、前記棒状根菜ａを、前記チヤツカー３９に設けた昇降する軸４０の螺旋針４１に、固定可能とする。」という技術的事項が記載されていると認められる。
（３）引用文献３について
　原査定の拒絶の理由に引用された上記引用文献３には、図面とともに次の事項が記載されている。
ア　「【０００１】
　本発明は、モータによって回転駆動される切刃により、簡便にごぼうのささがきを作ることのできるこぼうのささがき装置に関するものである。」
イ　「【００１８】
　図１〜１１は、本発明のごぼうのささがき装置１の一実施形態を示すものである。
　図１〜３に示すように、ごぼうのささがき装置１は、モータによって回転駆動される切刃３を備えたカッターアセンブリ２を、切刃３側を上方に向けて傾斜させ、脚部１８によって支承するとともに、カッターアセンブリ２の上部に、ガイドレール４を切羽３の回転面３ａに対し傾斜して立設させ、このガイドレール４に、ごぼうｔの下端部を切刃３の回転面３ａに向けて送り込むための送り装置５が昇降自在に設けられた構造のものである。
【００１９】
　図３に示すように、上記カッターアセンブリ２のモータを内設したハウジング１４の上記モータの回転主軸には、軸回転する回転盤１６が設けられている。この回転盤１６には、この中心部を径方向に横断して円周部の近傍に達する位置に、長方形の貫通穴１６ａが形成されている。また回転盤１６は、上記モータの回転主軸に摺動自在に設けられた円筒状の摺動体１７の一端面に、一体的に取り付けられている。この摺動体１７には、内周面の軸方向に、半円形のキー溝が形成されている。また上記モータの回転主軸には、外周面の軸方向に、半円形のキー溝が形成されている。そして、摺動体１７の半円形のキー溝と、モータの回転主軸に形成された半円形のキー溝を合致させ、丸棒状のキーを挿入することにより、摺動体１７の軸回転を阻止するように構成されている。また摺動体１７には、外周面から中心に向かって穿設されたネジ穴１７ａが形成されている。そして、このネジ穴１７ａにネジを螺合することによって、上記モータの回転主軸の軸線方向の摺動を規制するように構成されている。
【００２０】
　また、上記モータの回転主軸の端部には、螺杆２８が設けられている。この螺杆２８は、切刃３の中心部に形成されている貫通穴に挿通して、蝶ナットにより螺着し固着されている。切刃３は、回転盤１６の貫通穴１６ａと同寸法の長方形で形成されるとともに、長手方向の一端面には、短手方向の端部より２／５の寸法で、刃部３ｂが形成されている。この刃部３ｂは、その中心部に対して回転対称となる上記長手方向の他端面にも形成されている。」
ウ　「【００２７】
　また、送り装置５の内部には、第２の歯車列９ｂが設けられている。この第２の歯車列は、第１のかさ歯車２４ａが、送り装置５の内壁に突出した第４の歯車２３ｄの回転軸の端部に設けられている。この第１のかさ歯車２４ａには、昇降方向Ｗに対して上方に、第２のかさ歯車２４ｂが歯合されている。この第２のかさ歯車２４ｂは、昇降方向Ｗに延在する回転軸２７の一端部側に設けられている。この回転軸２７は、送り装置５の底面を貫通し、昇降方向Ｗの下方に延在するとともに、この回転軸２７の他端部側に、円筒状の回転ホルダ８が、送り装置の底面の下方に設けられている。この回転ホルダ８には、ごぼうｔの端面に挿入されて保持するための針部材８ａが、下端面の周方向に等間隔で４本設けられるとともに、中心部にネジ部材８ｂが突出して設けられている。」
エ　図２、４から、回転ホルダ８は送り装置５によって直線運動することが看取される。
　したがって、上記引用文献３には、「ごぼうのささがき装置１が、ごぼうｔを固定する回転ホルダ８と、この回転ホルダ８を直線運動させ、切刃３を取り付けた回転盤１６に送込む送り装置５を備え、前記ごぼうｔを、昇降する回転軸２７の前記回転ホルダ８に設けた針部材８ａに、固定可能とする。」という技術的事項が記載されていると認められる。
　
４　対比・判断
（１）引用発明との対比
ア　本願発明と、引用発明とを対比すると、引用発明の「ごぼう６０」は、本願発明の「人参、牛蒡の根菜類」又は「この根菜類」に相当し、以下同様に、「ささがき装置」は「根菜類切削切断装置」に、「円盤８」は「切削切断部」に、「ごぼう６０の外周」は「この根菜類の表面」又は「根菜類の切削対象部位」に、「ささがきする」は「切削対象部位を削り出す」に、「ささがき刃１０」は「切削手段」に、「２つ割りにする」は「二片、又は多片の形状に切断するための」に、「２つ割り刃１１」は「切断手段」に、それぞれ相当する。
　また、引用発明の「ごぼう６０が２つ割りにささがきされ」ることは、物品が２つ割りにささがきされると角を備えた切削切断片となることは自明であるから、本願発明の「根菜類に、角を備えた切削切断片を形成可能とし」に相当する。
イ　以上のことから、本願発明と引用発明との一致点及び相違点は、次のとおりである。
［一致点］
　「人参、牛蒡の根菜類のささがきを生成する根菜類切削切断装置は、
　この根菜類を切削切断する切削切断部とを備えており、
　前記切削切断部は、この根菜類の表面から切削対象部位を削り出す切削手段、及び根菜類の切削対象部位を二片、又は多片の形状に切断するための切断手段を備える根菜類切削切断装置において、
　前記切削手段、及び前記切断手段により、前記根菜類に、角を備えた切削切断片を形成可能とした、根菜類切削切断装置。」
　
［相違点１］
　本願発明は、「この根菜類を固定する固定部と、この固定部を直線運動させ、前記切削切断部に送込む送り部」を備え、「また前記根菜類を、前記固定部に設けた昇降する軸（３３）の固定機構（３４）の固定針（３５）に、固定可能」とされているのに対し、引用発明は、ごぼう６０を挟持して円盤８に送るレバー４０及びプーリ４１を備えているものの、固定部及び送り部が本願発明のように特定されていない点。
［相違点２］
　本願発明は、「切断手段の刃物ユニット(ＢＵ)は、複数枚の切断刃(ＢＣ)と、この切断刃(ＢＣ)を支持する多数枚のスペーサ(ＢＵ１)、(ＢＵ２)と、この切断刃(ＢＣ)、及びスペーサ(ＢＵ１)、(ＢＵ２)を固定する固定具とで構成」されているのに対し、引用発明は、２つ割り刃１１がそのような構成を有するものでない点。
（２）判断
　以下、相違点について検討する。
ア　相違点１について
　上記３（２）に示したとおり、引用文献２には、「細条切削物を生ぜしめるようにした棒状根菜の切削装置が、棒状根菜ａを固定するチヤツカー３９と、このチヤツカー３９を直線運動させ、櫛刃１９と刃物１６を取り付けた刃物装着円板１２に送込む昇降ブラケツト３０を備え、前記棒状根菜ａを、前記チヤツカー３９に設けた昇降する軸４０の螺旋針４１に、固定可能とする。」との技術的事項（以下、「引用文献２の技術的事項」という。）が記載されており、該引用文献２の技術的事項の「棒状根菜ａ」は、本願発明の「根菜類」に相当し、以下同様に、「チヤツカー３９」は「固定部」に、「櫛刃１９と刃物１６を取り付けた刃物装着円板１２」は「切削切断部」に、「昇降ブラケツト３０」は「送り部」に、「チヤツカー３９に設けた昇降する軸４０の螺旋針４１」は「固定部に設けた昇降する軸の固定機構の固定針」に、「細条切削物を生ぜしめるようにした棒状根菜の切削装置」は「根菜類切削切断装置」に、それぞれ相当する。
　そして、引用発明と引用文献２の技術的事項とは、ごぼう等の棒状根菜を、直線運動させながら回転円盤に送って切削切断をするとの技術分野及び機能の点で共通するため、引用発明に上記引用文献２の技術的事項を適用して、ごぼう６０を円盤８に送るための機構が、ごぼう６０を固定する固定部と、この固定部を直線運動させ前記円盤８に送込む送り部を備え、ごぼう６０を固定部に設けた昇降する軸の固定針に固定可能とすることは、当業者が容易になし得るものである。
　また、上記３（３）に示したとおり、引用文献３には、「ごぼうのささがき装置１が、ごぼうｔを固定する回転ホルダ８と、この回転ホルダ８を直線運動させ、切刃３を取り付けた回転盤１６に送込む送り装置５を備え、前記ごぼうｔを、昇降する回転軸２７の前記回転ホルダ８に設けた針部材８ａに、固定可能とする。」という技術的事項（以下、「引用文献３の技術的事項」という。）が記載されており、引用発明と引用文献３の技術的事項とは、ごぼう等の棒状根菜を、直線運動させながら回転円盤に送って切削するとの技術分野及び機能の点で共通するため、引用発明に上記引用文献３の技術的事項を適用して、ごぼう６０を円盤８に送るための機構が、ごぼう６０を固定する固定部と、この固定部を直線運動させ前記円盤８に送込む送り部を備え、ごぼう６０を固定部に設けた昇降する軸の固定針に固定可能とすることは、当業者が容易になし得るものであるともいえる。
　したがって、引用発明及び引用文献２の技術的事項又は引用文献３の技術的事項により、相違点１に係る本願発明の構成とすることは、当業者が容易になし得たものである。
　
イ　相違点２について
　野菜を切断する装置において、切断手段の刃物ユニットを、複数枚の切断刃と、この切断刃を支持する多数枚のスペーサと、この切断刃及びスペーサを固定する固定具とで構成することは、従来周知の技術的事項（例えば、引用文献７の第５ページ下から第１行−第８ページ第１６行及び第１−５図、引用文献８の第５ページ第２−１２行及び第３図−第６図Ｂ、等を参照。）である。
　そして、上記３（１）エの事項に示されているように、引用文献１には、「上記実施の形態においては、８個のささがき刃１０及び２つ割り刃１１を設けたが、この個数は特に限定されるものではない。」と記載されているから、引用発明に、２つ割り刃１１の刃の個数を設計変更することは示唆されている上に、引用発明と上記従来周知の技術的事項とは野菜を切断する機能の点で共通するため、引用発明に上記従来周知の技術的事項を適用して、切断手段として、２つ割り刃１１に換えて、複数枚の切断刃と多数枚のスペーサと、この切断刃及びスペーサを固定する固定具とで構成された刃物ユニットでごぼう６０を切断する（割る）ようにして、相違点２に係る本願発明の構成とすることは、当業者が容易になし得るものである。
　したがって、引用発明及び引用文献７、８にみられる従来周知の技術的事項により、相違点２に係る本願発明の構成とすることは、当業者が容易になし得たものである。
ウ　効果について
　全体としてみても、本願発明の効果は、引用発明、引用文献２の技術的事項又は引用文献３の技術的事項及び引用文献７、８にみられる従来周知の技術的事項から、当業者が予測し得るものであって格別なものとはいえない。
エ　まとめ
　本願発明は、引用発明、引用文献２の技術的事項又は引用文献３の技術的事項及び引用文献７、８にみられる従来周知の技術的事項に基づき当業者が容易に発明できたものであるから、特許法第２９条第２項の規定により特許を受けることができない。
第４　むすび
　以上のとおり、本願発明は、特許法第２９条第２項の規定により特許を受けることができないから、請求項２ないし５に係る発明について検討するまでもなく、本願は拒絶されるべきものである。
　よって、結論のとおり審決する。
　なお、上記「第２　平成３１年３月２０日にされた手続補正についての補正の却下の決定」で示したとおり、本件補正（平成３１年３月２０日にされた手続補正書による補正）は、特許法第１７条の２第５項に規定する要件に違反するものであり却下されるべきものであるが、仮に、該本件補正が、「特許請求の範囲の限定的減縮(第１７条の２第５項第２号)」を目的とするものであるとしても、以下に示すとおり、該本件補正後の請求項１に係る発明（以下、「本件補正後の発明」という。）は特許法第２９条第２項の規定により特許を受けることができないものである。
　上記第２の２で示した、本件補正後の発明に付加された構成について検討すると、本件補正後の発明は、「円盤状の回転盤」が「中心孔を備え」、「モータにより回転される軸が挿通螺着される」のに対し、引用文献１では、円盤回転用モータ４の出力軸が円盤８に連結されているものの、円盤８が中心孔を備えるものではない点で相違するが、円盤状の回転盤が中心孔を備えて、該中心孔にモータにより回転される軸が挿通螺着されることは従来周知の技術的事項（必要ならば、引用文献２の第６図、引用文献３の段落【００２０】及び図３等を参照。）である。また、モータの出力軸と円盤とをどのように連結するかは単なる設計事項でもある。
　また、本件補正後の発明では、回転盤の周方向に等間隔で装着された切削手段及び切断手段が「５カ所」であるのに対し、引用文献１では「８カ所」である点で相違しているが、上記第２の３（１）エの事項に示されているように、引用文献１の段落【００３２】には、「なお、上記実施の形態においては、８個のささがき刃１０及び２つ割り刃１１を設けたが、この個数は特に限定されるものではない。」と記載されているから、ささがき刃１０及び２つ割り刃１１の個数を８カ所以外とすることは示唆されているところ、５カ所とすることは、切削及び切断性能や、切削切断された根菜類の用途等に応じて、当業者が適宜設計する設計事項にすぎない。
　さらに、本件補正後の発明では、「回転盤」において、切削手段が凹部に装着され、切断手段が貫通孔と凸部に装着されるのに対し、引用文献１では、円盤８に、略径方向に長手方向を有する長方形状の排出孔８ａを周方向に等間隔に設け、該排出孔８ａの近傍にささがき刃１０及び２つ割り刃１１とを取り付けているものの、円盤８に凹部、凸部を設けることは記載されていない点で相違するが、引用文献８（第２−３図を参照。特に、「凹部」については第３図から看取される。）には、円盤１０の背面に略径方向に長手方向を有する長方形状の突片１６、円盤１０の正面に略径方向に長手方向を有する長方形状の凹部を設けて、凹部に平刃１９を装着し、スリット１３と突片１６に薄板刃物２２を装着するとの技術的事項（以下、「引用文献８の技術的事項」という。）が記載されており、引用発明に上記引用文献８の技術的事項を適用して、円盤８の背面に略径方向に長手方向を有する長方形状の凸部、円盤８の正面に略径方向に長手方向を有する長方形状の凹部を設けて、該凹部にささがき刃１０を装着し、排出孔８ａと凸部に２つ割り刃１１を装着することは、当業者が容易になし得るものである。また、切削切断する円盤において、排出孔に対して、どのように切削手段と切断手段を取り付けるかは、当業者が適宜設計する事項でもある。
　したがって、本件補正後の発明は、引用発明、引用文献２の技術的事項又は引用文献３の技術的事項、引用文献７、８にみられる従来周知の技術的事項、引用文献２、３にみられる従来周知の技術的事項及び引用文献８の技術的事項により、当業者が容易になし得たものである。